(57)【特許請求の範囲】
【請求項１】
先端側に配置された、プロファイル表面（７、１７、２７）を形成した領域と、先端とは反対側で前記プロファイル表面（７、１７、２７）を形成した領域に隣接して配置された、前記プロファイル表面（７、１７、２７）を形成しない領域とを有し、前記プロファイル表面（７、１７、２７）の深さが、先端（５、１５、２５）に向かって減少することを特徴とする釘状固定素子。
【請求項２】
前記プロファイル表面（７、１７、２７）が打ち込み方向に沿って広がることを特徴とする請求項１記載の固定素子。
【請求項３】
前記プロファイル表面（７、１７、２７）の深さが、先端領域では０．０１〜０．２ｍｍであり、他端領域では０．０５〜０．８ｍｍであることを特徴とする請求項１または２記載の固定素子。
【請求項４】
前記プロファイル表面（７、１７、２７）がナーリング形成されたものであることを特徴とする請求項１〜３のいずれか１項記載の固定素子。
【請求項５】
前記プロファイル表面（７、１７、２７）を形成しない領域が、打込み方向とは反対方向に円錐状に拡大することを特徴とする請求項１〜４のいずれか１項記載の固定素子。
【請求項６】
前記プロファイル表面（７、１７、２７）を形成した領域から前記プロファイル表面（７、１７、２７）を形成しない領域への移行領域が無段階的であることを特徴とする請求項５記載の固定素子。
【請求項７】
前記プロファイル表面（７、１７、２７）を形成しない領域の打込み方向とは反対側に、頭部が隣接することを特徴とする請求項１〜５のいずれか１項記載の固定素子。
【請求項８】
前記頭部の少なくとも一領域が、前記プロファイル表面（７、１７、２７）を形成しない領域の外径よりも半径方向において少なくとも部分的に大きいことを特徴とする請求項７記載の固定素子。
【請求項９】
請求項１〜８のいずれか１項記載の固定素子の製造方法であって、未加工品に部分的にプロファイル表面（７、１７）を形成し、少なくともそのプロファイル表面を形成した領域を加熱した後、加熱領域に引張り力を作用させて先端領域を形成することを特徴とする製造方法。
【発明の詳細な説明】
【０００１】
【発明の属する技術分野】
本発明は、第一部分と、先端とは反対の方向で第一部分に隣接する第二部分とを有する釘状固定素子に関する。
【０００２】
【従来の技術】
米国特許第５，６５８，１０９号により、十字形にローレット加工を施したプロファイル表面を筒状シャンクに部分的に設けた釘状固定素子は公知である。このプロファイル表面により、基盤の材料がプロファイル表面の窪み内に流れ込み、したがって固定素子と基盤とのより強固な係止が可能となる。
【０００３】
【発明が解決しようとする課題】
本発明の根底にある課題は、迅速かつ確実に基盤に打込み可能な釘状固定素子を提案することである。これにより、打込み方向側の先端領域が基盤と特に良好に係止して、非常に強力な保持力を示す。
【０００４】
【課題を解決するための手段】
前記の課題を解決するため、本発明は、釘状固定素子の少なくとも先端側の第一部分が、少なくとも部分的にプロファイル表面、例えばいわゆるローレット加工やナーリング加工された部分を具えることを特徴とするものである。
【０００５】
本発明によれば、第一部分のプロファイル表面により、第一部分と基盤との間の係止が特に強力になる。このため、全長の非常に短い固定素子であっても、基盤内で十分に高い保持力を達成することが可能となる。
【０００６】
したがって、特に先端領域および先端に隣接する領域において、この基盤との良好な係止を発生させることが可能であり、第一部分に設けられたプロファイル表面は少なくとも部分的に第一部分に広がると有利である。この場合、プロファイル表面は、例えば先端から始まってもよい。
【０００７】
固定素子を強固な基盤に打ち込む際、先端の機械的強度が非常に高いことが要求されるので、先端に対するプロファイル表面の深さを小さくする方が有利である。好適には、プロファイル表面の深さは、先端領域で０．０１〜０．２ｍｍ、反対の末端領域で０．０５〜０．８ｍｍである。製造技術上の理由から、プロファイル表面をナーリング形成するのが好ましい。これらのナーリングを、例えば十字状または直線状のナーリングとすることができる。
【０００８】
第一部分に隣接する第二部分が打込み方向とは反対側に円錐状に広がる実施形態により、固定素子の保持力の向上が実用的に達成される。
【０００９】
可能な限り一定の打ち込みエネルギーで基盤に固定素子を打ち込むことができるように、第一部分から第二部分への移行領域が無段階的であると好適である。
【００１０】
打込み方向とは反対側で第二部分に隣接する、頭部としての第三部分を用いて、基盤に固定されるべき物体の確実な固定することが好ましい。この第三部分は例えば外形が円錐状であり、その円錐角が第二部分の外形の円錐角よりも大きい。
【００１１】
頭部、好ましくは第三部分の少なくとも一領域を、第二部分の外径よりも少なくとも部分的に大きくすることにより、頭部の面積の大きな支持部が、固定されるべき物体の基盤と反対の面に到達する。第三部分の最も外径の大きい領域はフランジ状に拡大しており、例えば打込み方向と反対方向の第三部分の自由端領域に設けられる。
【００１２】
本発明に好適な釘の製造は、未加工品に部分的にプロファイル表面を形成し、少なくともそのプロファイル表面を形成した領域を加熱した後、加熱領域に引張り力を作用させて先端領域を形成する方法により好適に行われる。領域が分離するので、第一部分は先端に向かって半径が先細りになり、半径方向に測定したプロファイル表面の深さが先端に向かって減少する。
【００１３】
【発明の実施の形態】
以下、添付図面を参照して、本発明の好適な実施態様を詳細に説明する。
【００１４】
図１〜３に示す固定素子はいずれも、打込み方向の長さがそれぞれＬ１、Ｌ１１、Ｌ２１であり、先細り形状の第一部分１、１１、２１と、これに隣接し、打込み方向の長さがそれぞれＬ２、Ｌ１２、Ｌ２２である第二部分２、１２、２２と、打込み方向とは反対側で第二部分２、１２、２２に隣接し、打込み方向の長さがそれぞれＬ３、Ｌ１３、Ｌ２３の頭部としての第三部分３、１３、２３とを有する。第一部分１、１１、２１は、その半径Ｒが先端５、１５、２５に向けて先細りになる。第一部分１、１１、２１から第二部分２、１２、２２への移行部分および第二部分２、１２、２２から第三部分３、１３、２３への移行領域は無段階的に設けられている。
【００１５】
図１および２に示した固定素子の第二部分２、１２および第三部分３、１３の一部は、打込み方向とは反対方向に円錐状に拡大している。第三部分３、１３は、円錐角が第二部分２、１２より大きく、かつその自由端に例えばフランジ状拡大部４、１４を有する。図１に示す固定素子のフランジ状拡大部は、外径が例えば第三部分３の他の領域の直径の２倍に本質的に相当する。図２に示す固定素子は、第三部分１３の他の部分より僅かに大きなフランジ状拡大部１４を有する。
【００１６】
図３に示す固定素子は、円柱状の第二部分２２、および第二部分よりも半径方向に明らかに大きな、雄ネジ２８を加工した第三部分２３を具える。
【００１７】
少なくとも第一部分１、１１が、少なくとも部分的にプロファイル表面７、１７を具える。図１に示す固定素子のプロファイル表面７は、先端５から始まり、第一部分１上で部分的にのみ延在する。図２は、第一部分１１の全体にプロファイル表面１７を具えた固定素子を示している。図３に示す固定素子のプロファイル表面２７は、第一部分２１の先端２５から離間した領域から始まり、第二部分２２にまで延在する。
【００１８】
本質的に半径方向に測定したプロファイル表面７、１７、２７の深さは、例えば先端５、１５、２５に向かって減少する。プロファイル表面７、１７の深さは、例えば第一部分１１から第二部分１２への移行領域では０．０５〜０．８ｍｍであり、先端１５の領域では０．０１〜０．２ｍｍである。プロファイル表面１７を、例えばナーリングにより形成する。
【図面の簡単な説明】
【図１】  第一部分の一部のみにプロファイル表面を設けた、本発明に従う固定素子の側面図である。
【図２】  第一部分の全体にプロファイル表面を設けた、本発明に従う他の固定素子の側面図である。
【図３】  第一部分の一部にプロファイル表面を設けた、本発明に従う更に他の固定素子の側面図である。
【符号の説明】
１、１１、２１    第一部分
２、１２、２２    第二部分
３、１３、２３    第三部分
４、１４    フランジ状拡大部
５、１５、２５    先端
７、１７、２７    プロファイル表面
Ｌ１、Ｌ１１、Ｌ２１    第一部分長さ
Ｌ２、Ｌ１２、Ｌ２２    第二部分長さ
Ｌ３、Ｌ１３、Ｌ２３    第三部分長さ
Ｒ  第一部分半径
【図１】
0004187457.tif 000002
【図２】
0004187457.tif 000003
【図３】
0004187457.tif 000004